(57)【要約】【課題】筐体のストラップ取付部の高強度化を図りつつ、筐体の薄型化小型化を図ることができる携帯電子機器を提供する。【解決手段】筐体８にストラップＳ１を係止するストラップ取付部Ｔが設けられた携帯電子機器１であって、ストラップ取付部Ｔは、雌ネジ部及び周側面に形成した貫通孔Ｈ２が筐体８の表面から露出するように配置された雌ネジ部材Ｎからなる。雌ネジ部材Ｎには、外部ストラップ取付部材を取付可能である。【選択図】図２
2010128095.tif 000002
【特許請求の範囲】
【請求項１】
筐体にストラップを係止するストラップ取付部が設けられた携帯電子機器であって、
前記ストラップ取付部は、
雌ネジ部及び周側面に形成した貫通孔が前記筐体の表面から露出するように配置された雌ネジ部材からなることを特徴とする携帯電子機器。
【請求項２】
前記雌ネジ部材は、前記筐体に対してインサート形成により配置されていることを特徴とする請求項１に記載の携帯電子機器。
【請求項３】
ストラップを係止するストラップ係止部と前記ストラップ係止部に連結する雄ネジ部からなる外部ストラップ取付部材を有し、
前記雄ネジ部と前記雌ネジ部材を螺合したことを特徴とする請求項１又は請求項２に記載の携帯電子機器。
【発明の詳細な説明】
【技術分野】
【０００１】
本発明は、携帯電話機、電子手帳あるいはデジタルカメラなどの携帯電子機器に関する。
【背景技術】
【０００２】
携帯電話機、ＰＤＡ（Personal Digital Assistant）、電子手帳あるいはデジタルカメラなどの各種携帯電子機器においては、筐体本体に紐状のストラップを取り付ける取付部が一体に設けられている（例えば、特許文献１、特許文献２参照）。
【０００３】
ストラップの取付部は、例えば、筐体本体の縁部における角部を形成する二つの面のそれぞれから孔部を形成し、これら孔部を互いに連通させてストラップ挿通孔とするとともに、係止棒部を形成した構造とされている。そして、この取付部は、それぞれの孔部を成型する金型をＬ字状に突き合わせることにより成型されている。
【特許文献１】特開平８−２７４８５２号公報
【特許文献２】特開２００７−１２７５０号公報
【発明の開示】
【発明が解決しようとする課題】
【０００４】
近年では、技術の発展および高い携行性を求める市場要求により、携帯電子機器の小型化が進んでいる。そのため、特許文献１及び２に示される携帯電子機器は、構成部材が小さくなるので、その分、ストラップの取付部も小さくなっている。
【０００５】
携帯電子機器として代表的な携帯電話機では、ストラップにアクセサリーとしてのマスコットなどの多くの小物を取り付けて携行するケースが流行しており、ストラップに取付けられる小物として新しいものが次々市販されて年々増加する傾向となっている。
【０００６】
ところが、従来のストラップ取付部は、挿通孔の大きさに制限があることから、ストラップの太さも制限されるので破断し易いだけでなく、小物を交換する際の取付け、取り外し時に手間が掛かる煩わしさが問題となっていた。
【０００７】
本発明は、上述した事情に鑑みてなされたもので、筐体のストラップ取付部の高強度化を図りつつ、筐体の薄型化小型化を図ることができる携帯電子機器を提供することを目的とする。また、多数のストラップの取り付けが容易な携帯電子機器を提供することを目的とする。
【課題を解決するための手段】
【０００８】
本発明に係る携帯電子機器では、上記課題を解決するために以下の手段を採用した。
本発明は、筐体にストラップを係止するストラップ取付部が設けられた携帯電子機器であって、前記ストラップ取付部は、雌ネジ部及び周側面に形成した貫通孔が前記筐体の表面から露出するように配置された雌ネジ部材からなることを特徴とする。
【０００９】
この発明によれば、ストラップ取付部が雌ネジ周側面に形成した貫通孔が筐体の表面から露出するように配置されているので、ストラップの取り付け、取り外し作業を容易に行うことができる。
【００１０】
また、前記雌ネジ部材は、前記筐体に対してインサート形成により配置されていることを特徴とする。
この発明によれば、筐体とは別部材で構成された雌ネジ部材がインサートにより一体形成されるので、筐体を、ストラップ取付部の成型構造を考慮しない単純化したデザインで成型することができる。
更に、強度が要求されるストラップ取付部を筐体とは別の材質で構成することが可能となり、ストラップ取付部の高強度化及び筐体の軽量化を図ることができる。
【００１１】
また、ストラップを係止するストラップ係止部と前記ストラップ係止部に連結する雄ネジ部からなる外部ストラップ取付部材を有し、前記雄ネジ部と前記雌ネジ部材を螺合したことを特徴とする。
この発明によれば、筐体に対して、比較的重いアクセサリーなどの多数の小物を取り付け、取り外しすることが容易となる。また、外部ストラップ取付部材を筐体に対して、容易に取り付け、取り外しができるので、好みに応じてストラップ等を選択して取り付けることができる。
【発明の効果】
【００１２】
本発明によれば、筐体のストラップ取付部に対するストラップの取付け、取り外しを容易に行うことができる。しかも、筐体の小型化薄型化が可能となって、コストの低減を図ることができる。
【発明を実施するための最良の形態】
【００１３】
以下、本発明に係る携帯電子機器の実施形態について図面を参照して説明する。
図１は、本発明の第一実施形態に係る携帯電話機の概略構成を示す図であって、（ａ）は正面図、（ｂ）は側面図、（ｃ）は裏面図である。
【００１４】
図１に示すように、携帯電話機１は、例えば強化樹脂材で平面視略矩形状に形成されたフロントケース５と、このフロントケース５の厚さ方向に重ねあわせ可能なリヤケース６と、両ケース５，６を図示しない連結部材により接合部１６（図２参照）で密接接合して筐体となる薄型のケース本体８が構成されている。
【００１５】
フロントケース５は、図１（ａ）、（ｂ）に示すように、表面にテンキーやカーソルキーなどからなる操作部２下端部に配置されたマイク３、上端部に配置されたスピーカー４、並びに各種情報を表示する液晶ディスプレイや有機ディスプレイ等の表示部１０を備えている。
【００１６】
リヤケース６は、図１（ｃ）に示すように、上部にカメラ１４を備えると共に、リヤケース６の下端縁には、後述するストラップＳ１を係止するためのストラップ取付部Ｔ（ナット部材Ｎ）が設けられている。
【００１７】
次に、ストラップ取付部Ｔに付き図２を参照して説明する。
図２は、図１（ｃ）のＡ−Ａ断面図であって、ケース本体８の部分断面を示している。
図２において、操作部２は複数個からなるテンキー２Ａから構成され、フロントケース５の内部の基板１５を操作するように構成されている。
【００１８】
ストラップ取付部Ｔは、雌ネジ部材である円筒状のナット部材Ｎからなり、このナット部材Ｎの端面に形成されたネジ穴Ｈ１の内周には雌ネジが螺設され、ナット部材Ｎの端面側における周側面にはネジ穴Ｈ１に挿通する貫通孔Ｈ２が形成されている。
【００１９】
ナット部材Ｎは、リヤケース６と共に強化樹脂材で一体的にインサート形成されており、貫通孔Ｈ２がリヤケース６の湾曲凹状に成型された端部側から外部に露出するように配置されている。
【００２０】
そして、ナット部材Ｎに対して、通常の比較的細いストラップＳ１を係止する際は、ナット部材Ｎの周側面の貫通孔Ｈ２からストラップＳ１をネジ穴Ｈ１に挿通し、ナット部材Ｎの端面のネジ穴Ｈ１から引き出して係止することができる。
【００２１】
このように、ナット部材Ｎの周側面に形成した貫通孔Ｈ２がケース本体８の表面から露出するように配置されているので、ストラップＳ１の取り付け、取り外し作業を容易に行うことができる。
【００２２】
また、ケース本体８とは別部材で構成されたナット部材Ｎがインサートにより一体形成されるので、ケース本体８を、ストラップ取付部の成型構造を考慮しない単純化したデザインで樹脂成型することができる。更に、強度が要求されるストラップ取付部Ｔをケース本体８とは別の材質からなるナット部材Ｎで構成することが可能となり、ストラップ取付部Ｔの高強度化及びケース本体８の軽量化を図ることができる。この結果、コストの低減を図ることができる。
【００２３】
図３は、ストラップ取付部Ｔ（ナット部材Ｎ）に着脱自在に係止する外部ストラップ取付部材Ｖの説明図である。
図３において、外部ストラップ取付部材Ｖは、アクセサリーなどの多数の小物を取り付けたストラップＳ２を取り付けるため使用されるものであって、比較的大径の円環状に形成されてストラップ係止部となる係止ホルダＣと、係止ホルダＣの外周の一部に突設して形成された雄ネジ部Ｂとから形成されている。
この雄ネジ部Ｂの外周には、前述したストラップ取付部Ｔ（ナット部材Ｎ）に螺合可能な雄ネジが外周に螺設されている。
【００２４】
このように構成することで、ケース本体８に対して、比較的重いアクセサリーなどの多数の小物（ストラップＳ２）を取り付け、取り外しすることが容易となる。
また、外部ストラップ取付部材Ｖをケース本体８に対して、容易に取り付け、取り外しができるので、好みに応じてストラップＳ１，Ｓ２を選択して取り付けることができる。
【００２５】
上述した実施の形態において示した各構成部材の諸形状や組み合わせ等は一例であって、本発明の主旨から逸脱しない範囲において設計要求等に基づき種々変更可能である。
【００２６】
例えば、比較的大径の円環状に形成された係止ホルダＣは、円環状に限らず楕円形状や多角形などでも良く、開閉可能なフック構造でも良い。
【００２７】
また、ストラップ取付部Ｔの取り付け位置は、ケース本体８の下端縁に限らす周辺部分等のどの部分でも良い。更に、ナット部材Ｎは、リヤケース６に限らずフロントケース５に配置することもできる。
【図面の簡単な説明】
【００２８】
【図１】本発明の第一実施形態に係る携帯電話機の概略構成を示す図であって、（ａ）は正面図、（ｂ）は側面図、（ｃ）は裏面図である。
【図２】携帯電話機の部分断面図（図１（ｃ）のＡ−Ａ断面図）である。
【図３】ストラップ取付部に着脱自在に係止する外部ストラップ取付部材の説明図である。
【符号の説明】
【００２９】
１…携帯電話機（携帯電子機器）、  ８…ケース本体（筐体）、  Ｔ…ストラップ取付部、  Ｎ…ナット部材（雌ネジ部材）、  Ｈ１…ネジ穴（雌ネジ部）、  Ｈ２…貫通孔、  Ｖ…外部ストラップ取付部材、  Ｃ…係止ホルダ（ストラップ係止部）、  Ｂ…雄ネジ部、  Ｓ１，Ｓ２…ストラップ
【図１】
2010128095.tif 000003
【図２】
2010128095.tif 000004
【図３】
2010128095.tif 000005